(57)【要約】【課題】認証カードを利用して認証を行う際、ユーザの操作と認証処理が複雑、かつ面倒だった。【解決手段】制御用アプリケーションプログラム（ＡＰＬ）１０は、認証カード１１で認証を行う際、前記カードリーダ５のカード挿入口に認証カード１１を挿入したままの認証カード有りの状態と、認証カードの一次認証後に認証カードを抜き取った認証カード無しの状態とを区別して検出する機能と、認証カード有りの状態と認証カード無しの状態とで、異なるセキュリティレベルと判定し、該判定結果に応じて、それぞれセキュリティレベルの異なるファイルやシステムにログインする制御を行う機能を備えている。【選択図】図１
2009289228.tif 000002
【特許請求の範囲】
【請求項１】
挿入された認証カードの情報を読み取るカードリーダで読み取られたカード情報を取り込んで認証を行う認証制御手段と、認証のための比較用データを予め格納した記憶手段とを備え、
前記認証制御手段が前記カードリーダから取り込んだカード情報を前記記憶手段の比較用データと比較して認証を行い、該認証結果に応じてそれぞれ異なるファイルやシステムにログインする制御を行う情報処理装置であって、
前記認証制御手段は、認証カードによる認証を行うに際し、前記カードリーダのカード挿入口に認証カードを挿入したままの認証カード有りの状態と、認証カードの一次認証後に認証カードを抜き取った認証カード無しの状態とを区別して検出する機能と、
前記認証カード有りの状態と認証カード無しの状態とで、異なるセキュリティレベルと判定し、該判定結果に応じて、それぞれセキュリティレベルの異なるファイルやシステムにログインする制御を行う機能を備えていることを特徴とする情報処理装置。
【請求項２】
前記認証制御手段は、前記カードリーダに挿入された認証カードの読み取りを行い、正常に終了したら、ユーザが入力したパスワードの受け付けと認証を行い、正常終了したらセキュリティレベル判定を行う機能と、
前記パスワード入力後の認証の正常終了を契機として、前記認証カードの有無をチェックする機能と、
前記チェックによる認証カードが抜き取られた状態の認証カード無しの状態と、認証カードが挿入したままの認証カード有りの状態との検出結果に応じて、それぞれ異なるセキュリティレベルとしてログインする制御を行う機能を備えていることを特徴とする請求項１記載の情報処理装置。
【請求項３】
前記認証制御手段は、前記カードリーダに挿入された認証カードの読み取りを行い、正常に終了したら、ユーザが入力したパスワードの受け付けと認証を行い、正常終了したらセキュリティレベル判定を行う機能と、
前記認証カードの情報読み取り後、予め決めた一定時間内に認証カードが抜き取られたか否かをチェックする機能と、
前記チェックによる認証カードが抜き取られた状態の認証カード無しの状態と、認証カードが挿入したままの認証カード有りの状態との検出結果に応じて、それぞれ異なるセキュリティレベルとしてログインする制御を行う機能を備えていることを特徴とする請求項１記載の情報処理装置。
【請求項４】
挿入された認証カードの情報を読み取るカードリーダで読み取られたカード情報を取り込んで認証を行う認証制御手段と、認証のための比較用データを予め格納した記憶手段とを備え、
前記認証制御手段が前記カードリーダから取り込んだカード情報を前記記憶手段の比較用データと比較して認証を行い、該認証結果に応じてそれぞれ異なるファイルやシステムにログインする制御を行う情報処理装置に、
前記認証カードによる認証を行うに際し、前記カードリーダのカード挿入口に認証カードを挿入したままの認証カード有りの状態と、認証カードの一次認証後に認証カードを抜き取った認証カード無しの状態とを区別して検出する第１の制御手段と、
前記認証カード有りの状態と認証カード無しの状態とで、異なるセキュリティレベルと判定し、該判定結果に応じて、それぞれセキュリティレベルの異なるファイルやシステムにログインする制御を行う第２の制御手段の機能を実現させるためのプログラムを格納したコンピュータ読み取り可能な記録媒体。
【請求項５】
挿入された認証カードの情報を読み取るカードリーダで読み取られたカード情報を取り込んで認証を行う認証制御手段と、認証のための比較用データを予め格納した記憶手段とを備え、
前記認証制御手段が前記カードリーダから取り込んだカード情報を前記記憶手段の比較用データと比較して認証を行い、該認証結果に応じてそれぞれ異なるファイルやシステムにログインする制御を行う情報処理装置に、
前記認証カードによる認証を行うに際し、前記カードリーダのカード挿入口に認証カードを挿入したままの認証カード有りの状態と、認証カードの一次認証後に認証カードを抜き取った認証カード無しの状態とを区別して検出する第１の制御手段と、
前記認証カード有りの状態と認証カード無しの状態とで、異なるセキュリティレベルと判定し、該判定結果に応じて、それぞれセキュリティレベルの異なるファイルやシステムにログインする制御を行う第２の制御手段の機能を実現させるためのプログラム。
【発明の詳細な説明】
【技術分野】
【０００１】
本発明は、ＩＣカード、磁気コード付きカードなどの認証カードを利用したセキュリティ認証機能を有する情報処理装置において、カードリーダのカード挿入口に認証カードを挿入したままの状態と、一時認証後に認証カードを抜き取った状態とを区別して検出し、該検出結果に応じて、異なるセキュリティレベルと判定し、該判定結果に応じて、それぞれセキュリティレベルの異なるファイルやシステムにログインする制御を行う情報処理装置、記録媒体及びプログラムに関する。
【背景技術】
【０００２】
§１：従来例の説明
(1) ：従来例１
従来、システムにログインするレベルはカード毎に設定できるが、同一カードにて利用可能なレベルを切り替えるのに異なるＰＩＮコードの入力やシステム上でユーザレベルの選択などの作業が発生していた。例えば、アクセス権が上位のスーパーバイザーと下位の一般ユーザレベルがあった場合に、それぞれのカードに対応するカードが存在する。
【０００３】
スーパーバイザーレベルのカードで認証を行う場合、認証したいユーザレベルを選択するため、異なるＰＩＮコードを入力することで任意のレベルで認証を行うか、一度特定のレベルで認証した後、更に二度目の認証を行うなど操作や処理が多く複雑であった。          
【０００４】
(2) ：従来例２
以下、特許文献１を従来例２として説明する。従来例２は、予めカードに記録された暗証番号をパスワードとして用い、このパスワードの一致に応答して本体装置側で所定の処理を行なうようなカード処理システムに関するものであり、特に暗証番号の桁数に応じてセキュリティレベルを変えるようなカード処理システムに関する。
【０００５】
(3) ：従来例３
以下、特許文献２を従来例３として説明する。従来例３は、ＩＣカードにおける本人照合方式に関するものであり、ＩＣカードターミナルにＩＣカードを装着し、暗証番号等を入力してカード及びカード所有者の正当性を確認した後、所定の処理動作が行なわれるようにしたものである。
【特許文献１】特開昭６３−６６１号公報
【特許文献２】特開昭６２−１５６５７号公報
【発明の開示】
【発明が解決しようとする課題】
【０００６】
(1) ：従来のシステムにより、一次認証後ログアウトするまで認証が有効であったり、一定時間有効（一定時間毎に認証が求められる）か、常時認証確認されているかの違いはあるが、認証全て同一セキュリティレベルでの認証許可であった。
【０００７】
(2) ：従来（例えば、従来例１を参照）、システムにログインするレベルはカード毎に設定できるが、同一カードにて利用可能なレベルを切り替えるのに異なるＰＩＮコードの入力やシステム上でユーザレベルの選択等の作業が発生した。例えば、アクセス権が上位のスーパーバイザーレベルと下位のユーザレベルがあった場合に、それぞれのカードに対応するカードが存在する。
【０００８】
スーパーバイザーレベルのカードで認証を行う場合、認証したいユーザレベルを選択するため、異なるＰＩＮコードを入力することで任意のレベルで認証を行うか、一度特定のレベルで認証した後、さらに二度目の認証を行うなど処理が多く複雑である。
【０００９】
(3) ：従来例２は、暗証番号の桁数に応じてセキュリティレベルを変えるようなカード処理システムに関するものである。しかし、従来例２は、本発明のように、認証カード有りの状態と認証カード無しの状態とで、異なるセキュリティレベルと判定し、該判定結果に応じて、それぞれセキュリティレベルの異なるファイルやシステムにログインする制御を行う機能は無く、本発明の技術的バックグラウンド程度の内容である。
【００１０】
(4) ：従来例３は、ＩＣカードターミナルにＩＣカードを装着し、暗証番号等を入力してカード及びカード所有者の正当性を確認した後、所定の処理動作が行なわれるようにしたものである。
【００１１】
しかし、従来例３は、本発明のように、認証カード有りの状態と認証カード無しの状態とで、異なるセキュリティレベルと判定し、該判定結果に応じて、それぞれセキュリティレベルの異なるファイルやシステムにログインする制御を行う機能は無く、本発明の技術的バックグラウンド程度の内容である。
【００１２】
本発明は、前記従来の課題を解決するためになされたものであり、認証カードをカードリーダの挿入口に挿入し認証を行うが、その際認証カードを挿入したままの状態と、一次認証後、認証カードを抜き取った状態とでユーザレベルを変えられるようにして、ユーザの操作と認証処理を簡単化することを目的とする。
【課題を解決するための手段】
【００１３】
本発明は前記の目的を達成するため、挿入された認証カードの情報を読み取るカードリーダで読み取られたカード情報を取り込んで認証を行う認証制御手段と、認証のための比較用データを予め格納した記憶手段とを備え、前記認証制御手段が前記カードリーダから取り込んだカード情報を前記記憶手段の比較用データと比較して認証を行い、該認証結果に応じてそれぞれ異なるファイルやシステムにログインする制御を行う情報処理装置であって、前記認証制御手段は、認証カードによる認証を行うに際し、前記カードリーダのカード挿入口に認証カードを挿入したままの認証カード有りの状態と、認証カードの一次認証後に認証カードを抜き取った認証カード無しの状態とを区別して検出する機能と、前記認証カード有りの状態と認証カード無しの状態とで、異なるセキュリティレベルと判定し、該判定結果に応じて、それぞれセキュリティレベルの異なるファイルやシステムにログインする制御を行う機能を備えるように構成した。
【００１４】
（作用）
認証制御手段は、認証カードによる認証を行う際、カードリーダのカード挿入口に認証カードを挿入したままの認証カード有りの状態と、認証カードの一次認証後に認証カードを抜き取った認証カード無しの状態とを区別して検出する。そして、認証カード有りの状態と認証カード無しの状態とで、異なるセキュリティレベルと判定し、該判定結果に応じて、それぞれセキュリティレベルの異なるファイルやシステムにログインする制御を行う。このようにすれば、ユーザの操作と認証処理を簡単化できる。
【発明の効果】
【００１５】
本発明では、次のような効果がある。
【００１６】
(1) ：ＩＣカード、磁気コード付きカードなどの認証カードを利用したセキュリティ認証機能を有する情報処理装置で、カード挿入口に認証カードを挿入したままの状態と、一時認証後に認証カードを抜き取ることでセキュリティレベルやログインするシステムを切り替えることができるから、ユーザの操作と認証処理を簡単化できる。
【００１７】
(2) ：本発明は、従来例と比較した場合次のように操作の簡略化ができる。
【００１８】
従来例（システム１とシステム２がある場合）
操作１；認証カード挿入（認識）→（パスワード認証）→操作２；システム選択入力→（作業）→操作３；認証カード取り外し。
【００１９】
本発明に係る例（判定時認証カードがあるとシステム１、認証カードが無いとシステム２が選択される場合）
システム１を選択時
操作１；認証カード挿入（認識）→（パスワード認証）→操作２；認証カード取り外し。
【００２０】
システム２を選択時
操作１；認証カード挿入（認識）→操作２；認証カード取り外し→（作業）。
【００２１】
以上のように、システム１を選択した場合でも、システム２を選択した場合でも、認証カードを抜き取る順番を変えるだけで従来例より操作回数が１ステップ少なくなる。
【発明を実施するための最良の形態】
【００２２】
以下、本発明に係る情報処理装置をパーソナルコンピュータに適用した例について説明する。
【００２３】
§１：認証カードとパーソナルコンピュータの概要
(1) ：認証カードの説明
認証カードとしては、セキュリティ認証（個人や団体の認証）を行うためのカードであり、ＩＣカード、磁気コード付きカードなどの認証カードが含まれる。
【００２４】
この場合の切り替え対象であるセキュリティレベルとしては、セキュリティレベルの異なるユーザレベルＡ／Ｂ、１台のパーソナルコンピュータに複数のシステムが存在する装置の前記複数のシステムＡ／Ｂ、アプリケーションプログラムＡ／Ｂ、ファイルＡ／Ｂ等が存在し、これらの切り替えがセキュリティレベルに応じて可能である。
【００２５】
(2) ：パーソナルコンピュータの説明
図１はパーソナルコンピュータの機能説明図である。以下、図１を参照しながら説明する。なお、図１において、制御用アプリケーションプログラム１０を単に「ＡＰＬ」とも略記する。
【００２６】
(a) ：挿入された認証カード１１の情報を読み取るカードリーダ５と、カードリーダ５で読み取ったカード情報を取り込んで認証を行う認証制御手段（ＡＰＬ１０の一部）と、認証のための比較用データを予め格納したＲＯＭ７（記憶手段）とを備え、認証制御手段（ＡＰＬ１０の一部）がカードリーダ５から取り込んだカード情報をＲＯＭ７（記憶手段）の比較用データと比較して認証を行い、該認証結果に応じてそれぞれ異なるファイルやシステムにログインする制御を行うパーソナルコンピュータであって、認証制御手段（ＡＰＬ１０の一部）は、認証カード１１による認証を行う際、カードリーダ５のカード挿入口に認証カードを挿入したままの認証カード有りの状態と、認証カード１１の一次認証後に認証カード１１を抜き取った認証カード無しの状態とを区別して検出する機能と、認証カード有りの状態と認証カード無しの状態とで、異なるセキュリティレベルと判定し、該判定結果に応じて、それぞれセキュリティレベルの異なるファイルやシステムにログインする制御を行う機能を備えている。
【００２７】
(b) ：前記(a) において、認証制御手段（ＡＰＬ１０の一部）は、カードリーダ５に挿入された認証カード１１の読み取りを行い、正常に終了したら、ユーザが入力したパスワード（ディスプレイ装置８の画面を見ながらキーボード６から入力）の受け付けと認証を行い、正常終了したらセキュリティレベル判定を行う機能と、パスワード入力後の認証の正常終了を契機として、認証カード１１の有無をチェックする機能と、チェックによる認証カードが抜き取られた状態の認証カード無しの状態と、認証カードが挿入したままの認証カード有りの状態との検出結果に応じて、それぞれ異なるセキュリティレベルとしてログインする制御を行う機能を備えている。
【００２８】
(c) ：前記(a) において、認証制御手段（ＡＰＬ１０の一部）は、カードリーダ５に挿入された認証カード１１の読み取りを行い、正常に終了したら、ユーザが入力したパスワードの受け付けと認証を行い、正常終了したらセキュリティレベル判定を行う機能と、認証カード１１の情報読み取り後、予め決めた一定時間内に認証カード１１が抜き取られたか否かをチェックする機能と、チェックによる認証カード１１が抜き取られた状態の認証カード無しの状態と、認証カード１１が挿入したままの認証カード有りの状態との検出結果に応じて、それぞれ異なるセキュリティレベルとしてログインする制御を行う機能を備えている。
【００２９】
§２：パーソナルコンピュータの構成の説明
図２はパーソナルコンピュータの構成説明図である。図２に示したように、パーソナルコンピュータ１には、ＣＰＵ２、ハードディスク装置３、ＲＡＭ４、カードリーダ５、キーボード６、ＲＯＭ７、ディスプレイ装置８等が設けてある。また、ハードディスク装置３には制御用アプリケーションプログラム（以下「ＡＰＬ」とも記す）が格納されている。前記各部の機能等は次の通りである。
【００３０】
(a) ：ＣＰＵ２は、装置全体の制御や処理を行うもの（プロセッサ）である。
【００３１】
(b) ：ハードディスク装置３は、各種のデータを格納するものであり、制御用アプリケーションプログラム（ＡＰＬ）１０などを格納しておくものである。
【００３２】
(c) ：ＲＡＭ４は、ＡＰＬ１０等がワーク用として使用するものである。
【００３３】
(d) ：カードリーダ５は、カード挿入口に挿入された認証カードの情報を読み取るものである。
【００３４】
(e) ：キーボード６は、ユーザ等が操作し、データの入力や各種の制御等を行うものである。また、パスワードはディスプレイ装置８の画面を見ながら、このキーボードから入力する。
【００３５】
(f) ：ＲＯＭ７は、認証を行うための比較用データなどを予め格納しておくものである。
【００３６】
(g) ：ディスプレイ装置８は、各種のデータを表示するものである。
【００３７】
(h) ：制御用アプリケーションプログラム（以下「ＡＰＬ」とも記す）１０は、認証処理の制御用として使用されるものである。
【００３８】
§３：処理例１の説明
図３はパーソナルコンピュータの処理例１の説明図である。以下、図３に基づいて、処理例１を説明する。図３においてＳ１〜Ｓ７は制御用アプリケーションプログラム（以下「ＡＰＬ」と記す）の各処理ステップを示す。なお、以下に説明する処理例１は、認証カードを利用して２つのセキュリティレベルを切り替えるための認証処理例である。
【００３９】
この場合、マスターカードスロットなどセキュリティ認証機能ＩＤカードのような認証カード１１を認識可能なパーソナルコンピュータが対象であり、認証カード１１の有無の判定は、一度認証カード１１の読み取りを行なった後、再度カードリーダ５により認証カード１１の読み取りを行うことで判定できる。また、カードデテクション信号（カードリーダ５から出力されるカード検出信号）による認証カード１１の有無は判定できる。
【００４０】
そして、認証処理では、パスワード入力後の認証ＯＫをトリガーに認証カード１１の有無をチェックし、ログインするユーザレベルを切り替えるので、パスワード入力前に認証カード１１の操作を完了する。
【００４１】
認証開始によりＡＰＬ１０は、ユーザ側へ認証カード要求を出す（Ｓ１）。この要求に応じてユーザ側の手動操作により認証カード１１をカードリーダ５のカード挿入口へ挿入すると、カードリーダ５では、挿入された認証カード１１の読み取りを行う（Ｓ２）。この認証カード１１の読み取りにより認証カード１１の読み取りが正常に完了したら、ＡＰＬ１０はユーザ側へパスワード要求を出す（Ｓ３）。この要求を受け取ったユーザ側で手動操作により、カードリーダ５からの認証カード１１の抜き取りを行い、その後パスワードを入力するか、又は認証カード１１の抜き取りを行うことなく、認証カード１１をカードリーダ５に挿入した状態でパスワードの入力を行うか、何れか一方の操作を行う。
【００４２】
このようにしてパスワードの入力を行った後、ＡＰＬ１０は、パスワード受け付け、認証を行う（Ｓ４）。この処理で認証が正常に完了すれば、ＡＰＬ１０は、セキュリティレベル判定を行う（Ｓ５）。その結果、ＡＰＬ１０は、認証カード１１が無い状態（カードリーダ５内に認証カード１１が無い状態）と判断したら、セキュリティレベル１としてログインする。また、認証カード１１が有る状態（カードリーダ５内に認証カード１１が有る状態）と判断したら、セキュリティレベル２としてログインする。
【００４３】
このようにして、ＡＰＬ１０は、認証カード１１が抜き取られた状態の認証カード無しの状態と、認証カード１１が挿入したままの認証カード有りの状態との検出結果に応じて、それぞれ異なるセキュリティレベルとしてログインする制御を行う。
【００４４】
その後、ログインした方の作業を開始し、やがて完了すればこの処理は終了となる。この場合、セキュリティレベル２にログインしたら、作業完了後、認証カード１１をカードリーダ５から抜き取り、この処理は終了するが、セキュリティレベル１にログインしたら、認証カード１１は抜き取られた状態なので作業完了後、直ちにこの処理は終了する。
【００４５】
§４：処理例２の説明
図４はパーソナルコンピュータの処理例２の説明図である。以下、図４に基づいて、処理例２を説明する。なお、図４においてＳ１１〜Ｓ１７はＡＰＬの各処理ステップを示す。以下に説明する処理例２は、認証カード１１を利用して２つのシステムを切り替えるための認証処理例である。
【００４６】
この場合、マスターカードスロットなどセキュリティ認証機能ＩＤカードのような認証カード１１を認識可能なパーソナルコンピュータが対象であり、認証カード１１の有無の判定は、再度カードリーダ５により認証カード１１の読み取りを行うことで判定できる。また、カードデテクション信号（カードリーダ５から出力されるカード検出信号）による認証カード１１の有無は判定できる。
【００４７】
そして、認証処理では、認証カード１１の読み取り後、一定時間内に認証カード１１が抜き取られた状態（認証カード無し）だとシステム１にログインし、認証カード１１が抜き取られない状態（認証カード有り）だとシステム２にログインする。
【００４８】
認証開始によりＡＰＬ１０は、ユーザ側へ認証カード要求を出す（Ｓ１１）。この要求に応じてユーザ側の手動操作により認証カード１１をカードリーダ５のカード挿入口へ挿入すると、カードリーダ５では、挿入された認証カード１１の読み取りを行う（Ｓ１２）。この認証カード１１の読み取りにより認証カード１１の読み取りが正常に完了したら、ＡＰＬ１０はユーザ側へパスワード要求を出す（Ｓ１３）。この要求を受け取ったユーザ側で手動操作により、パスワード入力を行い、その後、カードリーダ５からの認証カード１１の抜き取りを行うか、又は、認証カード１１の抜き取りを行うことなく、パスワード入力を行う。
【００４９】
このようにしてユーザによりパスワードの入力を行った後、ＡＰＬ１０は、パスワード受け付け、認証を行う（Ｓ１４）。この処理で認証が正常に完了すれば、ＡＰＬ１０は、セキュリティレベル判定／認証カード１１の有無をチェック又は抜き取り動作を監視する（Ｓ１５）。
【００５０】
このＳ１６の処理では、ＡＰＬが認証カードの情報読み取り後、予め決めた一定時間内に認証カード１１が抜き取られたか否かをチェックする。そして、前記チェックによる認証カード１１が抜き取られた状態の認証カード無しの状態と、認証カード１１が挿入したままの認証カード有りの状態との検出結果に応じて、それぞれ異なるセキュリティレベルとしてログインする制御を行う。
【００５１】
このようにして認証カード１１がカードリーダ５内に無ければシステム１にログインする（Ｓ１６）。また、認証カード１１がカードリーダ５内に有れば、システム２にログインする（Ｓ１７）。その後、ログインした方の作業を開始し、やがて完了すればこの処理は終了となる。この場合、セキュリティレベル２にログインしたら、作業完了後、認証カード１１をカードリーダ５から抜き取り、この処理は終了するが、セキュリティレベル１にログインしたら、認証カード１１は抜き取られた状態なので作業完了後、直ちにこの処理は終了する。
【００５２】
§５：プログラム等の説明
図２において、パーソナルコンピュータ１には、内部の各種制御や処理を行うＣＰＵ２と、プログラムや各種データを格納しておくためのハードディスク装置３と、リムーバブルディスクドライブ（図示省略）と、通信制御部（図示省略）等が設けてある。なお、前記リムーバブルディスクドライブには、フレキシブルディスクドライブや光ディスクドライブ等が含まれる。
【００５３】
前記構成の装置において、例えば、ハードディスク装置３の磁気ディスク（記録媒体）に、前記パーソナルコンピュータ１の認証処理を実現するための制御用アプリケーションプログラム（ＡＰＬ）１０を格納しておき、このプログラム（ＡＰＬ）をＣＰＵ２が読み出して実行することにより、前記認証処理を実行する。
【００５４】
しかし、本発明はこのような例に限らず、例えば、ハードディスク装置３の磁気ディスクに、次のようにしてプログラムを格納し、このプログラムをＣＰＵ２が実行することで前記処理を行うことも可能である。
【００５５】
(a) ：他の装置で作成されたリムーバブルディスクに格納されているプログラム（他の装置で作成したプログラムデータ）を、リムーバブルディスクドライブにより読み取り、ハードディスク装置３の記録媒体に格納する。
【００５６】
(b) ：通信回線を介して他の装置から伝送されたプログラム等のデータを、通信制御部（図示省略）を介して受信し、そのデータをハードディスク装置３の記録媒体（磁気ディスク）に格納する。
【００５７】
§６：その他の説明
前記説明した例の場合（本発明に係る具体例）を従来例と比較すると、本発明に係る例では、次のように操作の簡略化ができる。
【００５８】
(1) ：従来例（システム１とシステム２がある場合）
操作１；認証カード挿入（認識）→（パスワード認証）→操作２；システム選択入力→（作業）→操作３；認証カード取り外し。
【００５９】
(2) ：本発明に係る例（判定時認証カードがあるとシステム１、認証カードが無いとシステム２が選択される場合）
システム１を選択時
操作１；認証カード挿入（認識）→（パスワード認証）→操作２；認証カード取り外し。
【００６０】
システム２を選択時
操作１；認証カード挿入（認識）→操作２；認証カード取り外し→（作業）。
【００６１】
以上のように、システム１を選択した場合でも、システム２を選択した場合でも、認証カードを抜き取る順番を変えるだけで従来例より操作回数が１ステップ少なくなる。
【図面の簡単な説明】
【００６２】
【図１】本発明の実施の形態におけるパーソナルコンピュータの機能説明図である。
【図２】実施の形態におけるパーソナルコンピュータの構成説明図である。
【図３】実施の形態におけるパーソナルコンピュータの処理例１の説明図である。
【図４】実施の形態におけるパーソナルコンピュータの処理例２の説明図である。
【符号の説明】
【００６３】
１  パーソナルコンピュータ
２  ＣＰＵ
３  ハードディスク装置（ＨＤＤ）
４  ＲＡＭ
５  カードリーダ
６  キーボード
７  ＲＯＭ
８  ディスプレイ装置
１０  制御用アプリケーションプログラム（ＡＰＬ）
１１  認証カード
【図１】
2009289228.tif 000003
【図２】
2009289228.tif 000004
【図３】
2009289228.tif 000005
【図４】
2009289228.tif 000006